(57)【要約】【課題】視点を振った場合の見栄えを向上させることができる車両用灯具を提供する。【解決手段】第１光源２０ｂからの光が照射される第１照射領域Ａ２０ｂと第２光源２０ｃからの光が照射される第２照射領域Ａ２０ｃとが重なった重複領域Ｂ１に配置された第１光制御素子及び第２光制御素子を備え、前記第１光制御素子は、前記第１光源２０ｂからの光の照射方向を制御する光制御素子であり、前記第２光制御素子は、前記第２光源２０ｃからの光の照射方向を制御する光制御素子である車両用灯具であることを特徴とする。【選択図】  図４
2018198155.tif 000002
【特許請求の範囲】
【請求項１】
第１光源からの光が照射される第１照射領域と第２光源からの光が照射される第２照射領域とが重なった重複領域に配置された第１光制御素子及び第２光制御素子を備え、
前記第１光制御素子は、前記第１光源からの光の照射方向を制御する光制御素子であり、
前記第２光制御素子は、前記第２光源からの光の照射方向を制御する光制御素子である車両用灯具。
【請求項２】
前記第１光源からの光が入光する第１入光部と、前記第２光源からの光が入光する第２入光部と、前記第１入光部から入光した前記第１光源からの光が照射される前記第１照射領域及び前記第２入光部から入光した前記第２光源からの光が照射される前記第２照射領域を含む出射面と、を含むレンズ体と、を備え、
前記第１光制御素子及び前記第２光制御素子は、前記出射面のうち前記重複領域に設けられている請求項１に記載の車両用灯具。
【請求項３】
複数の前記第１光制御素子と、複数の前記第２光制御素子と、をさらに備える請求項１又は２に記載の車両用灯具。
【請求項４】
複数の前記第１光制御素子は、第１ラインに沿って配置された第１光制御素子群を構成し、
複数の前記第２光制御素子は、前記第１ラインに対して平行な第２ラインに沿って配置された第２光制御素子群を構成する請求項３に記載の車両用灯具。
【請求項５】
前記第１光制御素子群と前記第２光制御素子群は、交互に複数設けられる請求項４に記載の車両用灯具。
【請求項６】
前記第１光制御素子は、前記第１光源からの光の照射方向を特定の方向に制御する光制御素子であり、
前記第２光制御素子は、前記第２光源からの光の照射方向を前記特定の方向に制御する光制御素子である請求項１から５のいずれか１項に記載の車両用灯具。
【請求項７】
前記光制御素子は、レンズカットである請求項１から６のいずれか１項に記載の車両用灯具。
【発明の詳細な説明】
【技術分野】
【０００１】
本発明は、車両用灯具に関し、特に、視点を振った場合の見栄えを向上させることができる車両用灯具に関する。
【背景技術】
【０００２】
従来、第１光源からの光が照射される第１照射領域と第２光源からの光が照射される第２照射領域とを重ならない形態で設け、第１照射領域及び第２照射領域にそれぞれ複数の光制御素子（例えば、レンズカット）を配置し、当該複数の光制御素子で第１光源及び第２光源からの光を制御して目的の配光パターンを形成するように構成された車両用灯具が提案されている（例えば、特許文献１（図３等）参照）。
【先行技術文献】
【特許文献】
【０００３】
【特許文献１】特開２０１６−４６６７号公報
【発明の概要】
【発明が解決しようとする課題】
【０００４】
しかしながら、特許文献１に記載の車両用灯具においては、第１光源からの光が第１照射領域に配置された光制御素子から出射し、第２光源からの光が第２照射領域に配置された光制御素子から出射するため、車両用灯具に対して視点を振っても（例えば、右から左に振っても）、見栄えが特に変化しないという課題がある。
【０００５】
本発明は、上記事情に鑑みてなされたものであり、視点を振った場合の見栄えを向上させることができる車両用灯具を提供することを目的とする。
【課題を解決するための手段】
【０００６】
上記目的を達成するために、本発明の一つの側面は、第１光源からの光が照射される第１照射領域と第２光源からの光が照射される第２照射領域とが重なった重複領域に配置された第１光制御素子及び第２光制御素子を備え、前記第１光制御素子は、前記第１光源からの光の照射方向を制御する光制御素子であり、前記第２光制御素子は、前記第２光源からの光の照射方向を制御する光制御素子である車両用灯具であることを特徴とする。
【０００７】
この側面によれば、視点を振った場合の見栄えを向上させることができる車両用灯具を提供することができる。
【０００８】
これは、第１光制御素子及び第２光制御素子が、第１光源からの光が照射される第１照射領域と第２光源からの光が照射される第２照射領域とが重なった重複領域に配置されていることによるものである。
【０００９】
すなわち、第１光制御素子及び第２光制御素子が重複領域に配置されているため、第１光源からの光が重複領域に配置された第１光制御素子から出射するだけでなく、重複領域に配置された第２光制御素子から例えば拡散光として出射すること、かつ、第２光源からの光が重複領域に配置された第２光制御素子から出射するだけでなく、重複領域に配置された第１光制御素子から例えば拡散光として出射すること、によるものである。
【００１０】
また、上記発明において、好ましい態様は、前記第１光源からの光が入光する第１入光部と、前記第２光源からの光が入光する第２入光部と、前記第１入光部から入光した前記第１光源からの光が照射される前記第１照射領域及び前記第２入光部から入光した前記第２光源からの光が照射される前記第２照射領域を含む出射面と、を含むレンズ体と、を備え、前記第１光制御素子及び前記第２光制御素子は、前記出射面のうち前記重複領域に設けられていることを特徴とする。
【００１１】
また、上記発明において、好ましい態様は、複数の前記第１光制御素子と、複数の前記第２光制御素子と、をさらに備えることを特徴とする。
【００１２】
また、上記発明において、好ましい態様は、複数の前記第１光制御素子は、第１ラインに沿って配置された第１光制御素子群を構成し、複数の前記第２光制御素子は、前記第１ラインに対して平行な第２ラインに沿って配置された第２光制御素子群を構成することを特徴とする。
【００１３】
また、上記発明において、好ましい態様は、前記第１光制御素子群と前記第２光制御素子群は、交互に複数設けられることを特徴とする。
【００１４】
また、上記発明において、好ましい態様は、前記第１光制御素子は、前記第１光源からの光の照射方向を特定の方向に制御する光制御素子であり、前記第２光制御素子は、前記第２光源からの光の照射方向を前記特定の方向に制御する光制御素子であることを特徴とする。
【００１５】
また、上記発明において、好ましい態様は、前記光制御素子は、レンズカットであることを特徴とする。
【図面の簡単な説明】
【００１６】
【図１】車両用灯具１０の正面図である。
【図２】車両用灯具１０の斜視図である。
【図３】レンズ体３０の背後に配置された複数の光源２０ａ〜２０ｌの配置等を説明するための図である。
【図４】図１の一部Ａ−Ａ断面図（概略図）である。
【図５】図３中の重複領域Ｂ１付近を拡大した拡大図である。
【図６】図５を矢印Ｘ方向から見た斜視図である。
【図７】入光部３３から入光した光源２０からの光が拡散している様子を表す図である。
【図８】変形例の断面図（概略図）である。
【図９】変形例の断面図（概略図）である。
【発明を実施するための形態】
【００１７】
以下、本発明の実施形態である車両用灯具１０について添付図面を参照しながら説明する。各図において対応する構成要素には同一の符号が付され、重複する説明は省略される。
【００１８】
図１は車両用灯具１０の正面図、図２は斜視図である。
【００１９】
図１及び図２に示す車両用灯具１０は、例えば、リアコンビネーションランプ（例えば、テールランプやターンランプ）として機能する標識用ランプ（又は信号用ランプ）であり、車両（図示せず）の後端部の左側及び右側に搭載される。
【００２０】
図３は、レンズ体３０の背後に配置された複数の光源２０ａ〜２０ｌの配置等を説明するための図である。
【００２１】
図３に示すように、本実施形態の車両用灯具１０は、レンズ体３０と、その背後に配置された複数の光源２０ａ〜２０ｌと、を備える。以下、光源２０ａ〜２０ｌを特に区別しない場合、光源２０と記載する。
【００２２】
光源２０は、例えば、赤色ＬＥＤである（車両用灯具１０をテールランプとして用いる場合）。図３に示すように、光源２０は、正面視で、Ｖ字を構成するラインに沿って配置されている。
【００２３】
レンズ体３０は、出射面３１と、その反対側の裏面３２とを含む正面視でＶ型のレンズ体である。レンズ体３０は、例えば、金型を用いてアクリルやポリカーボネイト等の合成樹脂を射出成形することにより一体成形することができる。
【００２４】
図２に示すように、レンズ体３０の裏面３２には、複数の光源２０ａ〜２０ｌの前方にそれぞれ配置される複数の入光部３３ａ〜３３ｌが設けられる。以下、入光部３３ａ〜３３ｌを特に区別しない場合、入光部３３と記載する。
【００２５】
入光部３３は、当該入光部３３から入光した光源２０からの光が均一な輝度で照射領域Ａを照射するように、その面形状等が構成されている。
【００２６】
次に、照射領域Ａ（発光領域Ａともいう）について説明する。図４は、図１の一部Ａ−Ａ断面図（概略図）である。
【００２７】
図４に示すように、入光部３３から入光した光源２０からの光は、出射面３１上の照射領域Ａを照射する。なお、出射面３１は、図６に示すように曲面であってもよいし、図４に示すように平面であってもよいし、その他面であってもよい。
【００２８】
以下、入光部３３ｂ〜３３ｄから入光した光源２０ｂ〜２０ｄからの光が照射する照射領域Ａ２０ｂ〜Ａ２０ｄについて説明するが、他の入光部３３から入光した光源２０からの光が照射する照射領域についても同様である。
【００２９】
例えば、図４に示すように、入光部３３ｂから入光した光源２０ｂからの光は、出射面３１のうち照射領域Ａ２０ｂを照射する。照射領域Ａ２０ｂは、出射面３１のうち正面視で光源２０ｂの両隣に配置された光源２０ａと光源２０ｃとの間の領域である（図３参照）。
【００３０】
また例えば、図４に示すように、入光部３３ｃから入光した光源２０ｃからの光は、出射面３１のうち照射領域Ａ２０ｃを照射する。照射領域Ａ２０ｃは、出射面３１のうち正面視で光源２０ｃの両隣に配置された光源２０ｂと光源２０ｄとの間の領域である（図３参照）。
【００３１】
また例えば、図４に示すように、入光部３３ｄから入光した光源２０ｄからの光は、出射面３１のうち照射領域Ａ２０ｄを照射する。照射領域Ａ２０ｄは、出射面３１のうち正面視で光源２０ｄの両隣に配置された光源２０ｃと光源２０ｅとの間の領域である（図３参照）。
【００３２】
次に、出射面３１のうち照射領域Ａが重なった領域（以下重複領域という）に設けられる光制御素子について説明する。
【００３３】
以下、図４等に示すように、出射面３１のうち照射領域Ａ２０ｃと照射領域Ａ２０ｂが重なった領域Ｂ１（以下、重複領域Ｂ１という）に設けられる複数の第１光制御素子Ｃ１及び複数の第２光制御素子Ｃ２、並びに、出射面３１のうち照射領域Ａ２０ｃと照射領域Ａ２０ｄが重なった領域Ｂ２（以下、重複領域Ｂ２という）に設けられる複数の第３光制御素子Ｃ３及び複数の第２光制御素子Ｃ２について説明するが、他の照射領域Ａが重なった重複領域に設けられる光制御素子についても同様である。
【００３４】
図５は、図３中の重複領域Ｂ１付近を拡大した拡大図である。図６は、図５を矢印Ｘ方向から見た斜視図である。
【００３５】
まず、図５、図６に示すように、出射面３１のうち重複領域Ｂ１に設けられる複数の第１光制御素子Ｃ１及び複数の第２光制御素子Ｃ２について説明する。
【００３６】
例えば、出射面３１のうち重複領域Ｂ１には、複数の第１光制御素子Ｃ１が第１ラインＬ１に沿って配置された第１光制御素子群（レンズカット群）及び複数の第２光制御素子Ｃ２が第１ラインＬ１に対して平行な第２ラインＬ２に沿って配置された第２光制御素子群（レンズカット群）が設けられる。第１光制御素子群及び第２光制御素子群は、第１ラインＬ１（及び第２ラインＬ２）に対して直交する方向（図５中Ｙ方向）に交互に配置されている。なお、第１光制御素子群及び第２光制御素子群の配置方向は、特に限定されず、上下方向であってもよいし、左右方向であってもよいし、上下方向と左右方向の組み合わせであってもよいし、その他の方向であってもよい。
【００３７】
複数の第１光制御素子Ｃ１は、例えば、レンズカットである。以下、第１光制御素子Ｃ１のことをレンズカットＣ１という。レンズカットＣ１は、例えば、六角柱をカットした断面（六角形のカット面）である。複数のレンズカットＣ１は、それぞれ、入光部３３ｂから入光し、当該複数のレンズカットＣ１から出射する光源２０ｂからの光が、特定の方向（例えば、図４中、光源２０ｂの光軸ＡＸ２０ｂ方向）に照射されるように、その面形状や傾き等が構成（調整）されている。このように、複数のレンズカットＣ１は、これに対応する光源２０ｂからの光を制御するように構成されている。
【００３８】
この場合、光源２０ｂの光軸ＡＸ２０ｂに近いレンズカットＣ１ほど光源２０ｂの光軸ＡＸ２０ｂに対する傾きが大きくなる。逆に、光源２０ｂの光軸ＡＸ２０ｂから遠いレンズカットＣ１ほど光源２０ｂの光軸ＡＸ２０ｂに対する傾きが小さくなる。なお、光源２０ｂからの光が特定の方向以外の方向に照射されるように、複数のレンズカットＣ１のうち一部の面形状や傾き等を構成（調整）してもよい。
【００３９】
複数の第２光制御素子Ｃ２は、例えば、レンズカットである。以下、第２光制御素子Ｃ２のことをレンズカットＣ２という。レンズカットＣ２は、例えば、六角柱をカットした断面（六角形のカット面）である。複数のレンズカットＣ２は、それぞれ、入光部３３ｃから入光し、当該複数のレンズカットＣ２から出射する光源２０ｃからの光が、特定の方向（例えば、図４中、光源２０ｃの光軸ＡＸ２０ｃ方向）に照射されるように、その面形状や傾き等が構成されている。このように、複数のレンズカットＣ２は、これに対応する光源２０ｃからの光を制御するように構成されている。
【００４０】
この場合、光源２０ｃの光軸ＡＸ２０ｃに近いレンズカットＣ２ほど光源２０ｃの光軸ＡＸ２０ｃに対する傾きが大きくなる。逆に、光源２０ｃの光軸ＡＸ２０ｃから遠いレンズカットＣ２ほど光源２０ｃの光軸ＡＸ２０ｃに対する傾きが小さくなる。なお、光源２０ｃからの光が特定の方向以外の方向に照射されるように、複数のレンズカットＣ２のうち一部の面形状や傾き等を構成（調整）してもよい。
【００４１】
次に、図５、図６に示すように、出射面３１のうち重複領域Ｂ２に設けられる複数の第３光制御素子Ｃ３について説明する。
【００４２】
例えば、出射面３１のうち重複領域Ｂ２には、複数の第３光制御素子Ｃ３が第３ラインＬ３に沿って配置された第３光制御素子群（レンズカット群）及び複数の第２光制御素子Ｃ２が第１ラインＬ１（第３ラインＬ３）に対して平行な第２ラインＬ２に沿って配置された第２光制御素子群（レンズカット群）が設けられる。第３光制御素子群及び第２光制御素子群は、第２ラインＬ２（及び第３ラインＬ３）に対して直交する方向（図５中Ｙ方向）に交互に配置されている。
【００４３】
複数の第３光制御素子Ｃ３は、例えば、レンズカットである。以下、第３光制御素子Ｃ３のことをレンズカットＣ３という。レンズカットＣ３は、例えば、六角柱をカットした断面（六角形のカット面）である。複数のレンズカットＣ３は、それぞれ、入光部３３ｄから入光し、当該複数のレンズカットＣ３から出射する光源２０ｄからの光が、特定の方向（例えば、図４中、光源２０ｄの光軸ＡＸ２０ｄ方向）に照射されるように、その面形状や傾き等が構成されている。このように、複数のレンズカットＣ３は、これに対応する光源２０ｄからの光を制御するように構成されている。
【００４４】
この場合、光源２０ｄの光軸ＡＸ２０ｄに近いレンズカットＣ３ほど光源２０ｄの光軸ＡＸ２０ｄに対する傾きが大きくなる。逆に、光源２０ｄの光軸ＡＸ２０ｄから遠いレンズカットＣ３ほど光源２０ｄの光軸ＡＸ２０ｄに対する傾きが小さくなる。なお、光源２０ｄからの光が特定の方向以外の方向に照射されるように、複数のレンズカットＣ３のうち一部の面形状や傾き等を構成（調整）してもよい。
【００４５】
上記構成の車両用灯具１０においては、入光部３３から入光し、出射面３１上の重複領域（例えば、重複領域Ｂ１、Ｂ２）を照射する光源２０（例えば、光源２０ｂ〜２０ｄ）からの光は、複数のレンズカットＣ１〜Ｃ３のうち当該光源２０に対応するレンズカットから特定の方向に出射して前方に照射されて目的の配光パターンを形成する。
【００４６】
例えば、入光部３３ｂから入光し、出射面３１上の重複領域Ｂ１を照射する光源２０ｂからの光は、重複領域Ｂ１に設けられた複数のレンズカットＣ１、Ｃ２のうち当該光源２０ｂに対応する複数のレンズカットＣ１から特定の方向（例えば、図４中、光源２０ｂの光軸ＡＸ２０ｂ方向）に出射して前方に照射されて目的の配光パターンを形成する。
【００４７】
同様に、入光部３３ｃから入光し、出射面３１上の重複領域Ｂ１を照射する光源２０ｃからの光は、重複領域Ｂ１に設けられた複数のレンズカットＣ１、Ｃ２のうち当該光源２０ｃに対応する複数のレンズカットＣ２から特定の方向（例えば、図４中、光源２０ｃの光軸ＡＸ２０ｃ方向）に出射して前方に照射されて目的の配光パターンを形成する。
【００４８】
同様に、入光部３３ｃから入光し、出射面３１上の重複領域Ｂ２を照射する光源２０ｃからの光は、重複領域Ｂ２に設けられた複数のレンズカットＣ３、Ｃ２のうち当該光源２０ｂに対応する複数のレンズカットＣ２から特定の方向（例えば、図４中、光源２０ｃの光軸ＡＸ２０ｃ方向）に出射して前方に照射されて目的の配光パターンを形成する。
【００４９】
同様に、入光部３３ｄから入光し、出射面３１上の重複領域Ｂ２を照射する光源２０ｄからの光は、重複領域Ｂ２に設けられた複数のレンズカットＣ３、Ｃ２のうち当該光源２０ｃに対応する複数のレンズカットＣ３から特定の方向（例えば、図４中、光源２０ｄの光軸ＡＸ２０ｄ方向）に出射して前方に照射されて目的の配光パターンを形成する。
【００５０】
なお、上記構成の車両用灯具１０においては、入光部３３から入光し、出射面３１上の重複領域（例えば、重複領域Ｂ１、Ｂ２）を照射する光源２０（例えば、光源２０ｂ〜２０ｄ）からの光は、複数のレンズカットＣ１〜Ｃ３のうち当該光源２０に対応するレンズカット以外のレンズカットから出射する場合がある。
【００５１】
図７は、入光部３３から入光した光源２０からの光が拡散している様子を表す図である。
【００５２】
例えば、図７に示すように、入光部３３ｂから入光し、出射面３１上の重複領域Ｂ１を照射する光源２０ｂからの光Ｒａｙ１は、重複領域Ｂ１に設けられた複数のレンズカットＣ１、Ｃ２のうち当該光源２０ｂに対応する複数のレンズカットＣ１以外の複数のレンズカットＣ２から出射する場合がある。この場合、光源２０ｂからの光Ｒａｙ１は、複数のレンズカットＣ２から特定の方向以外の方向に例えば拡散光として出射する（図７参照）。
【００５３】
同様に、入光部３３ｃから入光し、出射面３１上の重複領域Ｂ１を照射する光源２０ｃからの光Ｒａｙ２は、重複領域Ｂ１に設けられた複数のレンズカットＣ１、Ｃ２のうち当該光源２０ｃに対応する複数のレンズカットＣ２以外の複数のレンズカットＣ１から出射する場合がある。この場合、光源２０ｃからの光Ｒａｙ２は、複数のレンズカットＣ１から特定の方向以外の方向に例えば拡散光として出射する（図７参照）。
【００５４】
同様に、入光部３３ｃから入光し、出射面３１上の重複領域Ｂ２を照射する光源２０ｃからの光Ｒａｙ３は、重複領域Ｂ２に設けられた複数のレンズカットＣ３、Ｃ２のうち当該光源２０ｃに対応する複数のレンズカットＣ２以外の複数のレンズカットＣ３から出射する場合がある。この場合、光源２０ｃからの光Ｒａｙ３は、複数のレンズカットＣ３から特定の方向以外の方向に例えば拡散光として出射する（図７参照）。
【００５５】
同様に、入光部３３ｄから入光し、出射面３１上の重複領域Ｂ２を照射する光源２０ｄからの光Ｒａｙ４は、重複領域Ｂ２に設けられた複数のレンズカットＣ３、Ｃ２のうち当該光源２０ｄに対応する複数のレンズカットＣ３以外の複数のレンズカットＣ２から出射する場合がある。この場合、光源２０ｄからの光Ｒａｙ４は、複数のレンズカットＣ２から特定の方向以外の方向に例えば拡散光として出射する（図７参照）。
【００５６】
以上のように、特定の方向以外の方向に照射される光（例えば、Ｒａｙ１〜Ｒａｙ４）は、目的の配光パターンの形成に用いられないが、広範囲に拡散する光となるため、視点を振った場合の見栄え（点灯フィーリング）が大幅に向上する。
【００５７】
以上説明したように、本実施形態によれば、視点を振った場合の見栄え（点灯フィーリング）を向上させることができる車両用灯具を提供することができる。
【００５８】
これは、レンズカットＣ１〜Ｃ３が重複領域（例えば、重複領域Ｂ１、Ｂ２）に配置されていることによるものである。
【００５９】
すなわち、レンズカットＣ１〜Ｃ３が重複領域（例えば、重複領域Ｂ１、Ｂ２）に配置されているため、第１光源（例えば、光源２０ｂ）からの光が重複領域（例えば、重複領域Ｂ１）に配置されたレンズカットＣ１から出射するだけでなく、重複領域（例えば、重複領域Ｂ１）に配置されたレンズカットＣ２から例えば拡散光として出射すること、かつ、第２光源（例えば、光源２０ｃ）からの光が重複領域（例えば、重複領域Ｂ１）に配置されたレンズカットＣ２から出射するだけでなく、重複領域（例えば、重複領域Ｂ１）に配置されたレンズカットＣ１から例えば拡散光として出射すること、によるものである。
【００６０】
また、本実施形態によれば、次の効果を奏する。
【００６１】
すなわち、上記従来技術においては、第１照射領域と第２照射領域との境界において、第１照射領域及び第２照射領域それぞれに配置した複数の光制御素子（例えば、レンズカット）のカット方向が反転する場合があり、この場合、第１照射領域と第２照射領域との境界に沿って線状の段差（凹部）が発生し、当該線状の段差（境界）において、点灯時に光り抜けによる点光りや明暗の差が発生し、輝度ムラとして視認されてしまうことがあった（点灯フィーリングの悪化）。
【００６２】
これに対して、本実施形態によれば、以上のように構成された複数のレンズカットＣ１〜Ｃ３が重複領域（例えば、重複領域Ｂ１、Ｂ２）に交互に配置されているため、第１照射領域と第２照射領域との境界（例えば、照射領域Ａ２０ｂと照射領域Ａ２０ｄとの境界）は、図６に示すように、境界線ではなく境界点Ｐとなる。他の照射領域との境界についても同様である。その結果、非点灯時の見栄えが向上する。また、点灯時に光り抜けによる点光りや明暗の差（線状の段差（凹部）における輝度ムラ）を抑制することができる（点灯フィーリングの改善）。
【００６３】
次に、変形例について説明する。
【００６４】
上記実施形態では、本発明の車両用灯具をリアコンビネーションランプ（例えば、テールランプやターンランプ）に適用した例について説明したが、これに限らない。例えば、リアコンビネーションランプ以外のヘッドランプ、リッドランプ（バックドアやトランク等の可動部に取り付けられるランプ）、ドアミラーに取り付けられるターンランプ、室内灯等、自動車灯具全般に本発明の車両用灯具を適用してもよい。
【００６５】
また、上記実施形態では、光制御素子として、六角柱をカットした断面（六角形のカット面）を用いた例について説明したが、これに限らない。例えば、光制御素子として、六角形以外の多角形のカット面（レンズカット）を用いてもよいし、多角形以外の例えば円形又は楕円形、その他形状のカット面（レンズカット）を用いてもよい。なお、光制御素子のサイズや数は特に限定されない。
【００６６】
また、上記実施形態では、複数の光制御素子Ｃ１〜Ｃ３を直線（第１〜第３ラインＬ１〜Ｌ３）に沿って配置した例について説明したが、これに限らない。例えば、複数の光制御素子Ｃ１〜Ｃ３を曲線に沿って配置してもよいし、直線と曲線が混在したラインに沿って配置してもよいし、その他ラインに沿って配置してもよい。また、複数の光制御素子Ｃ１〜Ｃ３を規則的に配置してもよいし、無秩序に（ランダムに）配置してもよい。また、複数の光制御素子Ｃ１〜Ｃ３は、全て同じサイズであってもよいし、一部異なるサイズであってもよい。
【００６７】
また、上記実施形態では、レンズ体３０として、入光部３３を含むレンズ体３０を用いた例について説明したが、これに限らない。例えば、図８に示すように、レンズ体３０として、板状のレンズ体３０Ａを用いてもよいし、その他形状のレンズ体を用いてもよい。図８は、変形例の断面図である。この場合、レンズ体３０Ａは、分割されていてもよい（例えば、重複領域ごとに分割されていてもよい）。
【００６８】
また、上記実施形態では、レンズ体３０として、入光部３３間にスリットＳ（図４参照）が設けられたレンズ体３０を用いた例について説明したがこれに限らない。例えば、図９に示すように、レンズ体３０として入光部３３間にスリットが設けられていないレンズ体３０Ｂを用いてもよい。すなわち、入光部３３の形状は特に限定されない。図９は、変形例の断面図である。
【００６９】
上記各実施形態で示した各数値は全て例示であり、これと異なる適宜の数値を用いることができるのは無論である。
【００７０】
上記各実施形態はあらゆる点で単なる例示にすぎない。上記各実施形態の記載によって本発明は限定的に解釈されるものではない。本発明はその精神または主要な特徴から逸脱することなく他の様々な形で実施することができる。
【符号の説明】
【００７１】
１０…車両用灯具、２０（２０ａ〜２０ｌ）…光源、３０、３０Ａ、３０Ｂ…レンズ体、３１…出射面、３２…裏面、３３（３３ａ〜３３ｌ）…入光部、Ａ…照射領域、Ｂ１、Ｂ２…重複領域、Ｃ１〜Ｃ３…光制御素子（レンズカット）、Ｐ…境界点
【図１】
2018198155.tif 000003
【図２】
2018198155.tif 000004
【図３】
2018198155.tif 000005
【図４】
2018198155.tif 000006
【図５】
2018198155.tif 000007
【図６】
2018198155.tif 000008
【図７】
2018198155.tif 000009
【図８】
2018198155.tif 000010
【図９】
2018198155.tif 000011